(57)【要約】ドライブスルーの窓口（１０）で非処方箋薬又はサービスの衝動買いを起こさせる広告システム。そのシステムは、内側と外側とを有するドライブスルーの窓口を備え、そこで、顧客は、処方箋薬をピックアップする。一つ以上の非処方箋薬又はサービスの販売を促進する変更可能な広告コピーを有する一つ以上の広告標識（１２）は、ドライブスルーの窓口の外側に、一列に並んで待つ、あるいは、近づく車両（５４）から見ることができる。保管装置のセット（４０）は、ドライブスルーの窓口の内側に近接して位置決めされ、そして、ドライブスルーの窓口のオペレータによって直ちにアクセス可能である。各保管装置は、変化可能な広告コピーに対応する非処方箋サービスの一つに関連する非処方箋薬又は品目の一つを含む。
2005525601.tif 000002
【特許請求の範囲】
【請求項１】
ドライブスルーの窓口で非処方箋薬又はサービスの衝動買いを起こさせるマーケティングシステムであって、前記システムは、
顧客が処方箋薬をピックアップする、内側および外側を有するドライブスルーの窓口と；
前記ドライブスルーの窓口の外側に、一列に並んで待つ、あるいは、近づく車両から見ることができる変更可能な広告コピーを有する一つ以上の広告標識であり、前記変更可能な広告コピーが、一つ以上の非処方箋薬又はサービスの販売を促進する、一つ以上の広告標識と；
前記ドライブスルーの窓口の内側に近接して位置決めされ、そして、前記ドライブスルーの窓口のオペレータによって直ちにアクセス可能である保管装置のセットであり、各保管装置が、前記変更可能な広告コピーに対応する前記非処方箋サービスの一つに関連する前記非処方箋薬又は品目の一つを含む、保管装置のセットと
を備える、マーケティングシステム。
【請求項２】
前記一つ以上の広告標識のそれぞれは、第一の平面に壁取り付け表面と、前記第一の平面に対して角をなす第二の平面に変更可能な広告コピー取り付け表面と；ドアフレームおよび前記広告コピーがそれを介して見ることができる窓ガラスよりなるドアとを有するエンクロージャを備える、請求項１に記載のマーケティングシステム。
【請求項３】
前記一つ以上の広告標識のそれぞれは、ビルディングのコーナーに取り付けるために、交差する第一の平面と第二の平面とに二つの取り付け表面と、二つの変更可能な広告コピー取り付け表面であり、その一つが、前記第一の平面に平行な第三の平面にあり、そして、そのもう一つが、前記第二の平面に対して角をなす、二つの変更可能な広告コピー取り付け表面と；ドアフレームおよび広告コピーがそれを介して見ることができる窓ガラスよりそれぞれがなる一つ以上のドアとを有するエンクロージャを含む、コーナーに取り付けられた標識を備える、請求項１に記載のマーケティングシステム。
【請求項４】
前記一つ以上の広告標識の少なくとも一つが、照らされる、請求項１に記載のマーケティングシステム。
【請求項５】
前記一つ以上の広告標識が、前記ドライブスルーの窓口の左側に、前記ドライブスルーの窓口の右側に、前記ドライブスルーの窓口の上に又はそれらを組み合せて取り付けられる、請求項１に記載のマーケティングシステム。
【請求項６】
前記保管装置のセットが、保管大箱のセットを備える、請求項１に記載のマーケティングシステム。
【請求項７】
前記保管装置のセットが、普通のサイズの大人のわずか五歩前記窓口から離れて位置する、請求項１に記載のマーケティングシステム。
【請求項８】
前記保管装置のセットが、棚ユニット又は棚ユニットの部分を備える、請求項１に記載のマーケティングシステム。
【請求項９】
前記棚ユニットが、前記ドライブスルーの窓口の真下に位置する、請求項８に記載のマーケティングシステム。
【請求項１０】
顧客が処方箋薬をピックアップする薬局のドライブスルーの窓口から生成される収益を増加する方法であって、前記方法は、
（ａ）前記ドライブスルーの窓口の外側に、一列に並んで待つ、あるいは、近づく車両から見ることができる変更可能な広告コピーを有する広告標識を位置決めするステップであり、前記変更可能な広告コピーが、一つ以上の非処方箋薬又はサービスの販売を促進する、変更可能な広告コピーを有する広告標識を位置決めするステップと；
（ｂ）前記ドライブスルーの窓口の内側に近接して位置決めされ、そして、前記ドライブスルーの窓口のオペレータによって直ちにアクセス可能である保管装置のセットを置くステップであり、各保管装置が、前記変更可能な広告コピーに対応する前記非処方箋サービスの一つに関連する前記非処方箋薬又は品目の一つを含む、保管装置のセットを置くステップと；
（ｃ）前記広告標識に広告することに対して、前記非処方箋薬又はサービスのメーカー、あるいは、卸業者に料金が請求されるステップと、
を備える、方法。
【請求項１１】
さらにまた、前記広告コピーを定期的なベースで変更するステップを備える、請求項１０に記載の方法。
【請求項１２】
ドライブスルーの窓口で製品又はサービスの衝動買いを起こさせるために広告する方法であって、前記方法は、
内側と外側とを有するドライブスルーの窓口を設けるステップを備え、そこで、顧客が、前記ドライブスルーの窓口に顧客の接近前に、遠い場所から発行される注文に従って注文製品又はサービス商品をピックアップする、ドライブスルーの窓口を設けるステップと；
前記ドライブスルーの窓口の外側に、一列に並んで待つ、あるいは、近づく車両から見ることができる位置に、変更可能な広告コピーを有する少なくとも一つの広告標識を置くステップであり、前記変更可能な広告コピーが、遠い場所で注文するために、広告されない一つ以上のの製品、あるいは、サービスの販売を促進する、変更可能な広告コピーを有する少なくとも一つの広告標識を置くステップと；
前記ドライブスルーの窓口の内側に近接して位置決めされ、そして、前記ドライブスルーの窓口のオペレータによって直ちにアクセス可能な保管装置のセットを置くステップであり、各保管装置が、前記変更可能な広告コピーに対応する前記サービスの一つに関連する前記製品、あるいは、品目の一つを含む、保管装置のセットを置くステップと
を備える、方法。
【請求項１３】
前記ドライブスルーの窓口が、薬局のドライブスルーの窓口を備え、そして、前記注文製品が、処方箋医薬品を含み、前記方法が、前記変更可能な広告コピーを使用して、非処方箋サービスに関連する非処方箋薬又は品目を広告するステップを備える、請求項１２に記載の方法。
【請求項１４】
前記ドライブスルーの窓口が、処方箋のメガネ類と関連するドライブスルーの窓口を備え、そして、前記注文製品が、処方箋メガネ類を備え、前記方法が、前記変更可能な広告コピーを使用して非処方箋サービスに関係する非処方箋製品、あるいは、品目を広告するステップを備える、請求項１２に記載の方法。
【請求項１５】
前記ドライブスルーの窓口が、ドライクリーニング店に連結されるドライブスルーの窓口を備え、前記方法が、前記顧客に属するクリーニングされた商品をピックアップし、そして、ドライクリーニングサービスよりほかの製品、あるいは、サービスを広告する窓口を設けるステップを備える、請求項１２に記載の方法。
【請求項１６】
前記ドライブスルーの窓口が、食料品の注文を発行するため前記窓口から遠い場所を含むフードサービスのドライブスルーの窓口を備え、前記方法が、食料品の注文を発行するため前記窓口から遠い前記場所で、広告されないサービスに関連する食料品でない製品、あるいは、食料品でない品目を広告するために前記変更可能な広告コピーを使用するステップを備える、請求項１２に記載の方法。
【発明の詳細な説明】
【技術分野】
【０００１】
（関連出願）
本出願は、参照によりここに含まれる、２００２年５月１４日出願の米国仮出願番号６０／３８０，４９２からの優先権を主張する。
【０００２】
本発明は、一般に、広告方法およびシステムに関し、特に、薬局のドライブスルーの窓口と共に使用する広告方法およびシステムに関する。
【背景技術】
【０００３】
薬局のドライブスルーの窓口は、世界的に、薬局への提供の人気が増大している。ドライブスルーの窓口は、彼、あるいは、彼女の車を離れる必要のない顧客にとって有利な点をもたらすのに対して、ドライブスルーは、処方箋にしたがって調合される処方箋薬を待つ間に顧客が店内を冷やかして回るときに、他の製品の販売を行う可能性のある機会を薬局に与えない。ファーストフードレストランのドライブスルーの窓口は、一般に、その窓口から遠くでメニューの選択を行い、そのために、顧客が一つの場所で注文し、そして、次に、彼、あるいは、彼女がその窓口に到着する時間までに彼、あるいは、彼女の料理が準備されるのに対して、薬局は、この方式で処置されていない。処方箋を調合するのに、通常、長時間かかるので、顧客（あるいは、顧客の医師）は、一般に処方箋薬のために電話注文を行い、次に、顧客は、その後、その注文品をピックアップするために運転して行く。したがって、薬局のドライブスルーの窓口でのメニューの選択から注文することがない。
【０００４】
ドライブスルーの顧客が、その店で入手可能な様々な非処方箋薬の品目の一つを注文することを望んだ場合でさえ、薬剤師がその店から上述の品目を取り出すことは厄介なことである。その結果、顧客にとって便利であるドライブスルーの窓口は、小売店の内側に一列に並んで待つとき顧客が行うことがある「衝動買い」に起因する薬局のための付随する収入の源にならない。例えば、小売店が、レジスターの近くに、キャンディー、チューインガム、フィルム、ビデオテープ（録画済みの及び録画していない）、ミュージカルレコーディング、化粧品、インターネットダイアルアップサービス、テレホンカードなどの品目の陳列を行い、上述の品目を見る顧客がそれを衝動的に買うことを期待することは普通である。
【０００５】
したがって、処方箋薬の小売商人は、ドライブスルーの窓口で衝動買いを促すために広告および実現システムを設けることが技術上必要である。
【発明の開示】
【発明が解決しようとする課題】
【０００６】
本発明は、顧客がドライブスルーで列をなして過ごす時間を利用し、薬局が処方箋にしたがって調合される処方箋を待つ顧客の中に衝動買いを促す方法を提供する。
【課題を解決するための手段】
【０００７】
したがって、本発明の一つの態様は、ドライブスルーの窓口で非処方箋薬又はサービスの衝動買いを起こさせる広告システムを備える。そのシステムは、顧客が処方箋薬をピックアップする、内側および外側を有するドライブスルーの窓口と；そのドライブスルーの窓口の外側に、一列に並んで待つ、あるいは、近づく車両から見ることができる変更可能な広告コピーを有する少なくとも一つの広告標識であり、その変更可能な広告コピーが、一つ以上の非処方箋薬又はサービスの販売を促進する、少なくとも一つの広告標識と；ドライブスルーの窓口の内側に近接して位置決めされ、そのドライブスルーの窓口のオペレータによって直ちにアクセス可能である保管装置のセットとを備える。各保管装置は、変更可能な広告コピーに対応する非処方箋サービスの一つに関連する非処方箋薬又は品目の一つを含む。「非処方箋サービスに関連する品目」は、例えば、インターネットダイアルアップサービスを設置するのに使用されるディスク、長距離電話サービスにアクセスするのに使用されるテレホンカードなどを備えることができる。広告標識は、広告コピーのユニットを保持する複数の仕切りを備えることができ、そして、照らされることができる。
【０００８】
一つの実施例において、広告標識は、第一の平面に壁取り付け表面と、その第一の平面に対して角をなす第二の平面に変更可能な広告コピー取り付け表面と；ドアフレームおよび広告コピーがそれを介して見ることができる窓ガラスよりなるドアとを有するエンクロージャを備える。
【０００９】
別の実施例において、広告標識は、ビルディングのコーナーに取り付けるために、交差する第一の平面と第二の平面とに二つの取り付け表面と、二つの変更可能な広告コピー取り付け表面であり、その一つが、第一の平面に平行な第三の平面にあり、もう一つが、第二の平面に対して角をなす、二つの変更可能な広告コピー取り付け表面と；ドアフレームおよび広告コピーがそれを介して見ることができる窓ガラスよりそれぞれがなる一つ以上のドアとを有するエンクロージャを備える。
【００１０】
本発明の別の態様は、顧客が処方箋薬をピックアップする薬局のドライブスルーの窓口から生成される収益を増加する方法を備える。その方法は、ドライブスルーの窓口の外側に、一列に並んで待つ、あるいは、近づく車両から見ることができる変更可能な広告コピーを有する広告標識を位置決めするステップと、ドライブスルーの窓口のオペレータによって直ちにアクセス可能であるドライブスルーの窓口の内側に近接して保管装置のセットを位置決めするステップとを備える。各保管装置は、変更可能な広告コピーに対応する非処方箋サービスの一つに関連する非処方箋薬又は品目の一つを含む。非処方箋薬又はサービスのメーカー、あるいは、卸業者は、広告標識に広告をすることに対して料金が請求される。その広告コピーは、週に一度、月に一度、季節毎に、あるいは、小売商人、あるいは、メーカー／卸業者によって望まれるときいつでも定期的なベースで変更されることが好ましい。
【００１１】
本発明のさらに別の態様は、ドライブスルーの窓口で製品、あるいは、サービスの衝動買いを起こさせる広告方法を備える。その方法は、内側と外側とを有するドライブスルーの窓口を設けるステップを備え、そこで、顧客が、そのドライブスルーの窓口に顧客の接近前に、遠い場所から発行される注文に従って注文製品、あるいは、サービス商品をピックアップする。変更可能な広告コピーを有する少なくとも一つの広告標識は、そのドライブスルーの窓口の外側に、一列に並んで待つ、あるいは、近づく車両から見ることができる場所に置かれる。その変更可能な広告コピーは、遠い場所で注文するために広告されなかった一つ以上の製品、あるいは、サービスの販売を促進する。保管装置のセットは、ドライブスルーの窓口のオペレータによって直ちにアクセス可能なドライブスルーの窓口の内側に近接して位置決めされる。各保管装置は、変更可能な広告コピーに対応するサービスの一つに関連する製品、あるいは、品目の一つを含む。
【発明を実施するための最良の形態】
【００１２】
ここでは、図面を参照すると、図１は、窓口の左側と、窓口の右側と、窓口の上とに取り付けられる広告標識１２を有する例示的なドライブスルーの窓口１０を示す。広告標識１２のそれぞれは、同一か、あるいは、ほぼ同一でよく、唯一の相違は、ビルディングへの取り付け位置付けにある。図２Ａおよび図２Ｂは、例示的な標識ボックス１２ａ，１２ｂそれぞれのより詳細な図を示す。
【００１３】
標識１２ａは、図２Ａに示されるように、標識を壁に取り付ける壁取り付け表面１４と、その取り付け表面の平面に対して角をなす平面に沿って位置するヒンジ式ドア１６ａと、側壁１７ａ，１７ｂ，１７ｃとによって画定されるエンクロージャを備える。追加の側壁は、取り付け表面１４とヒンジ式ドア１６ａとの間の側壁１７ｂ（図２Ｂに示されるなどの）に平行に位置決めされることができる。ヒンジ式ドア１６ａは、フレーム１８と、透明な窓ガラス２０とを備え、それらは、技術上周知であるあらゆる透明な材料、好ましくは、風雨に耐え得る材料より構成することができる。コピーホルダー２２は、コピーホルダー２２と透明な窓ガラス２０との間に、窓ガラスに平行に広告コピー２４の個々のユニット（図１に示される）を固定するように構成される。とはいえ、広告コピー２４の６つのユニットが、図１の各標識に示されている。その標識は、かなり多数の広告ユニットを収容することができる。複数の広告ユニットは、処理を簡略化するために一枚、あるいは、二枚のペーパー、又は、カードストックによってグループ化されることができるか、あるいは、個々のシートを備えることができる。そのシートは、両面接着テープ、あるいは、グルースプレーなどで、一時的にコピーホルダーに付着されることができるか、あるいは、標識が装着される間、コピーホルダーの前にクリップ、あるいは、タブ２０で適所に保持されることができる。
【００１４】
ドアが閉鎖される前に、広告コピーを窓ガラスに対して圧縮するために、穴２１は、コピーホルダーの一つの側のプロング２３に係合し、そして、そのコピーホルダーは、タブ２５がもう一つの側のスロット２７に係合するまで旋回される。プロング２３におけるフレキシビリティは、バネ仕掛けでもたらし、フレーム１８におけるフレキシビリティは、タブを空間にスナップ止めするために十分にフレームを変形する能力をもたらし、そのために、タブがスロットを通過するために、フレームが、再度、十分に変形されるまで、コピーホルダーが窓ガラスとタブとの間に保持される。ロック２６は、閉鎖位置でドアを固定する。
【００１５】
コピーホルダー２２は、まったく照らされない、あるいは、前部から照らされる標識のために不透明であるか、又は、そのコピーホルダーは、バックライト標識のために半透明でよい。コピーホルダーが、半透明である場合、蛍光燈、白熱電球、あるいは、他のタイプの電球などの光源２８は、照らされた標識ボックスの技術上周知であるように、エンクロージャ内に取り付けられ、それによって、弱い周囲光状態のもとでさえ、広告コピーを顧客に見ることができるようにさせる。
【００１６】
広告コピーの個々のユニットは、例えば、プラスチック、あるいは、ペーパーのシート（それは、標識がバックライトされる場合、半透過性か、あるいは、半透明であることが好ましい）、厚紙、メタルなどで構成することができる。各標識は、広告される製品、あるいは、サービスのメーカー、あるいは、卸業者に賃貸しされる複数の広告仕切りを備えることが好ましい。各“仕切り”は、個々の広告、あるいは、複数の広告を含む連続シートの割当てられた部分を保持するための物理的仕切りでよい。したがって、顧客は、一列に並んで待つ間に広告を見ることができ、そして、次に、その窓口で広告された製品のための注文を発行し、それによって、処方箋品目の販売と共に同時に、付加的な広告された「衝動買い」を受け入れる。
【００１７】
広告標識構造は、一般に、あらゆるドライブスルーのデザインに連結して取り付けるように構成されることが好ましい。複数の異なる構造システムが提示されている場合でさえ、デザイン毎に一貫性のある広告コピーのユニットを受容する広告仕切りを作ることが利点である。この方法において、例えば、全国的な薬局チェーンは、大量のドライブスルーの窓口に、ほぼ同一か、あるいは、ともかく、広告コピーの互換性のあるユニットを有する広告システムを装備するように選択することができる。したがって、広告コピーの個々のユニットは、大量生産され、そして、組織的なプログラムで複数の店に送られることが可能である。
【００１８】
別の標識エンクロージャのデザイン１２ｂが、図２Ｂに示されている。このデザインは、特に、バックライティングが望まれない場合の適用に有利である。この適用において、フロント壁２００は、標識の構造に一体化されている。フロント壁２００は、図２Ｂに示されるフォームラバーストリップ２０２などの一つ以上の圧縮性部材を有することが好ましい。ドア１６ｂのフレーム１８は、広告コピーのシート２０６を保持するために、一つ以上のクリップ２０４を備えることが好ましい。広告コピーは、クリップが窓ガラスの次にシートを保持するように、各クリップ２０４と窓ガラス２０との間にスリップする。合計４つのクリップが示されているとはいえ、かなり多数のクリップが使用されることができる。図２Ｂには、装着される頂部シートと、窓ガラス最下部を表わすように取り除かれる底部シートとが例示されている。広告コピーの二枚のシートが示されているとはいえ、一枚のシート、あるいは、二枚以上のシートが使用されることができる。使用されるシートの数は、ある程度、必要とされるクリップの数を決める。コピーが、クリップによって保持される適所に置かれた後、ドアが閉鎖され、圧縮性部材は、閉鎖されるドアで圧縮され、窓ガラス２０と接触して広告コピーのシート２０６を保持するための力をもたらす。圧縮性ストリップが示されているとはいえ、圧縮性部材は、フロント壁２００の表面全体をカバーすることを含む、あらゆる形状でよい。
【００１９】
図３は、ビルディングのコーナーに取り付ける例示的な広告標識３０を示す。この構造は、それがビルディングのコーナーに取り付けるために、直角に交差する二つの壁取り付け表面３２，３４を備えることを除いて、図２Ａ、あるいは、図２Ｂに示されるものに類似する。コーナーに取り付けられた標識は、二つのドア３６，３８を有することができ、それぞれは、ドア１６ａ、あるいは、１６ｂに類似し、又は、一つのドアは、二つの窓口３７，３９を有する。図２Ａに類似するデザインにおいて、各窓口は、それに連結されるコピーホルダー２２を有し、それに対して、図２Ｂに類似するデザインにおいて、各ドアは、広告コピーを保持するために一つ以上のクリップ２０４を有する。窓口３７は、取り付け表面３２に平行な平面に位置決めされることができ、そして、窓口３９は、取り付け表面３４に対して角をなす平面に位置決めされることができる。各コピーホルダーは、その連結された窓ガラスに平行である。コーナーに取り付けられたシステムは、二つの窓口のコーナーの薬局のドライブスルー配置で用いるのに有利であり、特に、第一の窓口３１が注文を発行するためのものであり、第二の窓口が処方箋に従って調合された注文薬を受け取るためのものである。
【００２０】
特にドライブスルーの状態において、ドライブスルーの窓口で働く係員によって、広告された製品への迅速なアクセスをもたらすことは重要である。それゆえ、保管装置のセットは、係員によって直ちにアクセス可能である、ドライブスルーの窓口の内側に置かれることが好ましい。例えば、図４に示されるように、製品大箱、あるいは、バスケット４２のセットは、窓口の次に、あるいは、近接して設けられることができる。各バスケット４２は、広告コピーによって広告されるサービスと関連する製品、あるいは、品目の一つを含む。大箱、あるいは、バスケットの代わりに、とはいえ、棚ユニット４４の専用の部分、あるいは、何か他の保管装置が使用されることができる。本発明は、何か特定のタイプの保管装置に限定されるものではない。
【００２１】
「近接」によって、保管装置のセットは、ドライブスルーの係員がそのドライブスルーの顧客のためにそれを取り出すために、品目の通常のストック場所にわざわざ移行する必要がないドライブスルーの窓口の内側に十分に近接していることを意味する。例えば、薬局の設定において、薬局のエリアは、一般に、小売商店の残部からカウンター、あるいは、仕切り板によって分離されている。保管装置のセットは、係員が仕切り板の後のエリアに置き去りにされることがないほどにドライブスルーの窓口に十分に近接して位置決めされることが好ましく、そして、普通の大人のサイズの係員が、保管された品目に達するのに三歩から五歩以上その窓口から離れて停止する必要がないほどに近接して位置決めされることがいっそう好ましい。図４に示される、一つの好ましい実施例において、保管装置のセットは、窓口の真下に位置する棚ユニット４４を備えることができる。薬局でないドライブスルーピックアップ窓口は、同様に、あるタイプの仕切り板によって小売場所の残部から区切られることができるか、あるいは、そうでない場合、ドライブスルーの窓口が連結される専用のワークスペースを有することができる。専用のワークスペース内への保管装置のセットの配置は、係員による容易なアクセスのためにドライブスルーの窓口に十分に近接してそれらを置く。
【００２２】
図１〜図３に示される実施例に対して詳細に示され、説明されているとはいえ、本発明の方法およびシステムは、さらに、あらゆるタイプの広告標識と共に使用されることができる。図５は、例えば、複数の垂直な三つの仕切りの標識構造を示し、それらのそれぞれは、各広告の仕切り内に一つ、最大三つの広告５１ａ，５１ｂ，５１ｃを保持することが可能である。標識構造５０ａ，５０ｂは、車両がドライブスルーの窓口５６に近づく位置にあるときに彼の車両５４の顧客５２によって見ることができるのに対して、標識構造５０ｃ，５０ｄは、車両がドライブスルーの窓口にあるときに見ることができる。広告コピーの一つ以上のユニットは、さらに、薬局の窓口自体の内側に設けられることができる。複数の広告仕切りを備える標識ではなく、デザインには、標識毎に一つの広告仕切りが設けられることができる。一つの実施例において、保管装置は、窓口に取り付けられ、薬局の内側から直ちにアクセス可能であり、その窓口を介して見ることができる実際の製品がストックされる、棚を備えることができ、その場合、広告コピーは、保管装置内の製品にラベルを備えることができる。
【００２３】
好ましい実施例は、広告を使用して非処方箋薬を販売することであるとはいえ、顧客によって直接に達成されることが可能な販売を促進することが望ましいので、多少の広告の仕切りが、さらに、その上に、処方箋薬の販売を促進するのに使用されることができるということは多くの人に認識されている。例えば、アレルギー薬は、アレルギーの季節の間広告されることができ、一列に並んで待つ顧客に、彼又は彼女が医師にみてもらう次の機会にその有用性を知らせる。同様に、いくつかの広告の仕切りは、チャリティー又は一般の企業の善意を促進するために、薬局によって又はメーカーによって使用されることができる。
【００２４】
さらに、広告コピーの独立した、そして、識別可能なユニットを含むことができる複数の仕切り構造が示されているとはいえ、単一の広告が、複数のスポットに及ぼされることができるということは理解されるべきである。同様に、複数の製品は、単一の仕切り内で販売を促進されることができる、あるいは、例えば、二つの他の仕切り間に位置する仕切りには、隣接する仕切りのそれぞれに関連する部分を含む分割した広告が設けられることができる。
【００２５】
最後に、本発明と共に使用されることができる非処方箋薬又はサービスのタイプに限定するものではないし、本発明が使用されることができるドライブスルーの窓口のタイプに何ら限定するものでない。例えば、処方箋薬が一般に医薬品である所の薬局のドライブスルーの窓口と共に使用するのに特に有利であるとはいえ、他のタイプのドライブスルーの窓口が知られている。例えば、処方箋のメガネ類のドライブスルーの窓口は、本発明を使用して、眼鏡ケース、眼鏡クリーニング製品などを広告することができる。ドライブスルーのドライクリーニング店は、例えば、衣類手入れ用品などのドライクリーニングサービスより他の製品又はサービスを広告するために類似の広告システムを使用することができる。フードサービスのドライブスルーは、食料品の注文が発行される遠い場所で、広告されない食料品以外の製品又はサービスを広告することができる。重要なことは、広告が、顧客がドライブスルーの窓口を使用する典型的な製品又はサービスでない製品である製品又はサービスに関係するか、あるいは、ドライブスルーの窓口から遠く離れて注文するのに有用であるように、入手されない又は広告されない製品に関係するかということである。上述の製品又はサービスの広告は、したがって、顧客に衝動買いさせることを引き起こすである。
【００２６】
本発明は、ここでは特定の実施例を参照として例示され、説明されているとはいえ、本発明は、示される詳細に限定されることを意図するものでない。どちらかというと、様々な変更が、特許請求の範囲の同等物の精神と範囲内で、そして、本発明から逸脱することなく、詳細に行われることができる。
【図面の簡単な説明】
【００２７】
【図１】複数の広告標識を備える本発明の例示的な広告システムが装備されているドライブスルーの窓口を描いている。
【図２Ａ】図１に描かれる例示的な広告標識の一つの実施例の詳細な説明図である。
【図２Ｂ】図１に描かれる例示的な広告標識の別の実施例の詳細な説明図である。
【図３】例示的なコーナーに取り付けられた広告標識を描いている。
【図４】ドライブスルーの窓口の内側に近接する二つの例示的な保管装置のセットを示す。
【図５】本発明と共に使用する別の例示的な広告標識のセットを示す。
【図１】
2005525601.tif 000003
【図２Ａ】
2005525601.tif 000004
【図２Ｂ】
2005525601.tif 000005
【図３】
2005525601.tif 000006
【図４】
2005525601.tif 000007
【図５】
2005525601.tif 000008
【国際調査報告】
2005525601.tif 000009